(57)【要約】      （修正有）【課題】封筒の厚さが不均一のことから発生する印字品質不良を解消したプリンタ用封筒を提供する。【解決手段】宛先記入又は発送元記入をプリンタで行うプリンタ用封筒を、内部に文書を封入する封筒本体部１と、この封筒本体部１を袋状に構成するため封筒と同じ大きさの糊代部２で構成し、封筒本体部１に、宛名記入面１−０と反対側に折返され、端部が密接対向するとともに互いに重ならない合わせ部を有する複数の折返し部分１−１、１−２、１−３を設け、この折返し部分１−１、１−２、１−３を糊代部２と接着することにより袋状の密封構成とする。【選択図】図１
2005153926.tif 000002
【特許請求の範囲】
【請求項１】
宛先記入又は発送元記入をプリンタで行うプリンタ用封筒であって、
封筒本体部と、
前記封筒本体部を袋状に構成するための封筒と同じ大きさの糊代部で構成され、
前記封筒本体部に、宛名記入面と反対側に折返され、端部が密接対向するとともに互いに重ならない合わせ部を有する複数の折返し部分を設け、
前記折返し部分を前記糊代部と接着することにより袋状の密封構成としたことを特徴とするプリンタ用封筒。
【請求項２】
前記請求項１記載のプリンタ用封筒において、前記封筒本体の両側部の折返し部分の前記合わせ部が封筒の中央部分より左または右のいずれかに寄せられて構成されたことを特徴とするプリンタ用封筒。
【発明の詳細な説明】
【技術分野】
【０００１】
本発明は、プリンタにより宛先印刷の際の転写プロセス、定着プロセスにおける印刷ムラを解消したり、定着プロセスにおけるシワの発生を解消して宛先部分を良好な品質に印刷可能に構成したプリンタ用封筒に関する。
【背景技術】
【０００２】
近年、電子写真プリンタは、高速・高解像・高品質であるため、プリンタの主流となっている。このためこの電子写真プリンタの記録媒体も普通紙、再生紙、さらにこれらの厚紙、薄紙、特殊媒体としてラベル紙、ＯＨＰ、封筒等あらゆる媒体への印刷が要求されている。
【０００３】
特に、封筒は糊代部分と他の部分とで厚さが異なるため、感光ドラム上のトナー画像を封筒上に転写する電子写真式プリンタでは、厚い部分と薄い部分では電界の強さが異なるため、静電転写力が均一ではなく、厚い糊代部分ではトナーが薄く転写され、印刷ムラが発生する。
【０００４】
また糊代の存在により封筒が部分的に厚さが異なるため強圧力でトナー像を熱定着する定着プロセスでシワが発生することが多い。
【０００５】
このために封筒へ印刷した際の印字品質の向上が、ユーザより強く望まれている。
【０００６】
従来の封筒は、図５（Ｂ）に示す如く、宛名書き部２０−０と、底折返し部２０−１、蓋用折返し部２０−２、第１折返し側部２０−３及び第２折返し側部２０−４が形成された紙を、例えば第２折返し側部２０−４を宛名書き部２０−０側に折返し、次に第１折返し側部２０−３を宛名書き部２０−０側に折返し、それから底折返し部２０−１を宛名書き部２０−０側に折返す。このとき図５（Ａ）に示す第１折返し側部２０−３と第２折返し側部２０−４の重なり部分を糊代として接着し、また底折返し部２０−１を糊代として接着し、封筒２０を作成する。そしてこの封筒２０に宛名を記入し、封筒２０内に文書等を入れたあと、蓋用折返し部２０−２を第１折返し側部２０−３、第２折返し側部２０−４側に折返し、接着する。
【０００７】
この糊代のため、従来の封筒は、図５（Ａ）に示す如く、Ａ部は２枚重ね、Ｂ部及びＣ部は３枚重ね、Ｄ部は糊代が２つ重なっているため４枚重ねになっている。このように部部的に厚さが異なっていた。
【０００８】
図８に電子写真プリンタ３０のプロセス構成を示す。電子写真プリンタ３０は、有機感光ドラムの如き感光ドラム３１上を、帯電ローラ、コロナ帯電器等の帯電手段３５（図８では帯電ローラ）により一様に帯電し、次いでこの帯電された感光ドラム３１を、半導体レーザ光学系や発光ダイオードアレイ等の画像露光ユニット３６により文字、画像等を露光することにより、前記感光ドラム３１上に静電潜像を形成する。
【０００９】
この静電潜像を現像手段３７により、二成分現像法または一成分現像法等で現像してトナーを付着させて顕在化してトナー画像を形成する。感光ドラム３１上のこのトナー画像を、コロナ放電器や転写ローラ等の転写手段３２（図８では転写ローラ）において用紙等の記録媒体３８に静電転写し、このトナー画像をその後ハロゲンランプの如き加熱手段で構成されるヒートローラタイプの定着機３３とバックアップローラ３４により加熱圧着して記録媒体３８に付着されて定着し、印刷を終了する。なお前記転写工程後において、感光ドラム３１上に残存したトナーは、ドラムクリーナ３９により除去される。
【００１０】
ところで記録媒体に良好な印字品質を行わせるために、特に印字濃度ムラが出ないようにするために、転写プロセスにおいて記録媒体３８を感光ドラム３１に密着させる必要がある。
【００１１】
ところが従来の封筒は、図５に示す如く、厚さが均一ではないため、図６の丸部分に示す如く、感光ドラム３１と封筒２０との接触が密着しない部分が生ずる。すなわち、転写ローラ３２の表面は導電性ゴムで構成されているため、封筒を使用する場合転写ローラ３２の表面は段差状の変形部分ができ、封筒の重なり部分における転写ローラ３２の圧力が不均一となり、封筒の重なり部分のエッジのところで圧力が弱くなり、密着不充分となり、転写画像が薄くなる。
【００１２】
また転写手段としてコロナ放電器を使用する場合、封筒の前記重なり部分の厚さに応じて電界が弱くなり、これまた重なり部分の転写画像が薄くなる。
【００１３】
このため、転写工程において印字濃度ムラやカスレで印字されない部分が存在し、良好な品質の印字ができなくなる。
【００１４】
また図７に示す定着プロセスでは、一般的にハロゲンランプの如き加熱手段を内包したヒートローラ３３と、弾性体から構成され両端をバネで押圧されるバックアップローラ３４で行われる。この高圧力のヒートローラ３３とバックアップローラ３４間を記録媒体が通過してトナー画像が定着される。このとき、図５に示す如き部分的に厚さの異なる従来の封筒では、高圧力の両ローラ間を通過する際にこの厚さの異なる部分にシワが発生し、宛名部分の印字品質が不良となることが多かった。
【００１５】
このため従来の電子写真方式のプリンタ用封筒として、隣接する糊代片同士及び隣接する糊代片と封筒フタ部とが重ならないようにして、厚みの差が最も厚いシートの２枚分未満としたものが提案されている（例えば特許文献１参照）。
【特許文献１】特開平７−４１００２号公報（図１）
【発明の開示】
【発明が解決しようとする課題】
【００１６】
上記特許文献１に記載された封筒でも、封筒の周辺部分に封筒を構成するシートの厚さの段差が存在し、周辺部分の画像の印字品質を向上することができなかった。
【００１７】
したがって本発明の課題は、封筒の周辺部分における段差が存在しないように構成して封筒全面に良好な印字品質の印刷を可能としたプリンタ用封筒を提供することである。
【課題を解決するための手段】
【００１８】
前記課題を解決するため、本発明では下記（１）、（２）の構成のプリンタ用封筒を提供する。
【００１９】
（１）宛先記入又は発送元記入をプリンタで行うプリンタ用封筒であって、封筒本体部と、前記封筒本体部を袋状に構成するための封筒と同じ大きさの糊代部で構成し、前記封筒本体部に、宛名記入面と反対側に折返され、端部が密接対向するとともに互いに重ならない合わせ部を有する複数の折返し部分を設け、前記折返し部分を前記糊代部と接着することにより袋状の密封構成としたことを特徴とする。
【００２０】
（２）前記（１）記載のプリンタ用封筒において、前記封筒本体の両側部の折返し部分の前記合わせ部が封筒の中央部分より左または右のいずれかに寄せられて構成されたことを特徴とする。
【発明の効果】
【００２１】
（１）本発明のプリンタ用封筒では折返し部を重ねず、別用紙で封筒の全面を糊代にすることで厚さを均一にしているので、転写プロセスにおいて感光ドラムと密着し、封筒に段差ができないので転写ムラによる印字濃度ムラが発生しない。また定着プロセスにおいても、高圧力のヒートローラとバックアップローラ間を通過するとき、段差がないので均一に圧力が印加されるために、シワの発生が抑制できる。
【００２２】
（２）折返しの合わせ部分を左右いずれかに寄せるので合わせ目部分が印字領域である中央部分にないため、何等かの理由により大きな隙間が合わせ目に生じても、品質の悪い文字が発生する可能性を抑制できる。
【発明を実施するための最良の形態】
【００２３】
発明を実施するための最良の形態を、下記の実施例１に記載する。
【実施例１】
【００２４】
本発明の第１の実施例を図１〜図３により説明する。図１は本発明の第１の実施例のプリンタ用封筒の構成を示し、（Ａ）は分解説明図、（Ｂ）は完成図であり、図２は転写状態説明図、図３は定着状態説明図である。
【００２５】
図において、１は封筒本体部、１−０は宛名書き部、１−１は第１折返し側部、１−２は第２折返し側部、１−３は底折返し部、１−４は蓋折返し部、２は糊代用紙、３は本発明のプリンタ用封筒、４は感光ドラム、５は転写ローラ、６はヒートローラ、７はバックアップローラ、８は加圧用スプリングである。
【００２６】
本発明のプリンタ用封筒３は、図１（Ａ）に示す如く、封筒本体部１と糊代用紙２により構成される。封筒本体部１は、宛名書き部１−０と、第１折返し側部１−１と、第２折返し側部１−２と、底折返し部１−３、蓋折返し部１−４で構成される。この封筒本体部１は、例えば第１折返し側部１−１が、矢印に示す如く、宛名書き部１−０側に、点線位置より折返され、次に第２折返し側部１−２が、矢印に示す如く、宛名書き部１−０側に点線位置より折返される。このように第１折返し側部１−１と第２折返し側部１−２が折返されたとき、第１折返し側部１−１のエッジａと第２折返し側部１−２のエッジｂとは互いに重なることなく、例えば０．３〜０．５ｍｍ程度の空隙を残して密接状態に対向するように、その幅ｌ1 、ｌ2 が決められている。理想的には空隙のないものが望ましいが、空隙の生ずることなくエッジを突き合わせることは不可能であり、またこの空隙がこれより広すぎると糊代用紙２に塗布された糊が封筒内部に付着し、封筒として使用できない。
【００２７】
それから底折返し部１−３が、矢印に示す如く、宛名書き部１−０側に、点線位置より折返される。前記第１折返し側部１−１と前記第２折返し側部１−２には、これら第１折返し側部１−１と第２折返し側部１−２が前記の如く折返されたとき、それらの下方に、前記台形状の底折返し部１−３が糊代用紙２の糊が封筒内部に付着しない状態で前記の如く、密接状態に対向するように、エッジＣ−０、Ｃ−１が形成されている。
【００２８】
したがって、第１折返し側部１−１と、第２折返し側部１−２と、底折返し部１−３を、図１（Ａ）に示す矢印の如く、それぞれ点線位置から折返して封筒状に形成したあとで、片面全部に糊が塗布された、宛名書き部１−０と同じ大きさの糊代用紙２をこれら各折返し部分全面に貼り付ける。これにより図１（Ｂ）に示す如く、３枚重ねの厚さを均一にしたプリンタに好適な封筒３が完成される。
【００２９】
なお、糊代用紙に糊を全面的に塗布せずに、第１折返し側部１−１と、第２折返し側部１−２と、底折返し部１−３の対向エッジ部上に幅が２〜５ｍｍの糊のない部分を設けて糊を塗布した糊代用紙を使用することもできる。この場合は各折返し部の空隙を、糊が封筒内部に付着することを考慮せず、段差の生じない点のみ対応すればよいので、前記０．３〜０．５ｍｍよりも空隙をもう少し広くすることが可能になる。
【００３０】
本発明の厚さが均一の封筒を転写する場合、図２に示す如く、感光ドラム４と転写ローラ５間に位置した封筒３には段差が存在しないので、転写プロセスにおいて封筒が感光ドラムと均一に密着し、転写ムラによる印字濃度ムラが発生しなかった。
【００３１】
また図３に示す如く、定着プロセスにおいても、加圧用スプリング８により高圧力のヒートローラ６とバックアップローラ７間を本発明の封筒３が通過する場合、封筒３の厚さが均一のため封筒３に均一に圧力が印加されるためシワの発生もなかった。なお図３においてヒートローラ６の内部には、ヒータ６−１が設けられている。
【実施例２】
【００３２】
本発明の第２の実施例を図４にもとづき説明する。図４において、１０は封筒本体部であり、宛名書き部１０−０、第１折返し側部１０−１、第２折返し側部１０−２、底折返し部１０−３、蓋折返し部１０−４を有する。１１は糊代用紙、１２は本発明の第２実施例の封筒である。この密接対向位置ｄは左側に寄せてもよい。このように右または左に寄せるために前記幅ｌ1 とｌ2 を異なるサイズにする。第２の実施例では、第１折返し側部１０−１と第２折返し側部１０−２の密接対向位置ｄを右側または左側に寄せたこと以外は前記第１の実施例と同様であるので詳細な説明は省略する。
【００３３】
これにより密接対向位置である合わせ目が印字領域である中央部にないため、封筒の製造時に何等かの理由により大きな隙間が合わせ目に生じても品質の悪い文字が発生する可能性を抑制できる。
【００３４】
なお前記説明はプリンタとして電子写真方式のものについて説明したが、本発明は勿論これに限定されるものではなく、インクジェットプリンタ、ドットプリンタ熱転写プリンタ等の他のタイプのものにも使用することができる。
【図面の簡単な説明】
【００３５】
【図１】本発明の封筒の実施例１を示す。
【図２】本発明の封筒の転写状態説明図である。
【図３】本発明の封筒の定着状態説明図である。
【図４】本発明の封筒の実施例２を示す。
【図５】従来の封筒を示す。
【図６】従来の封筒の転写状態説明図である。
【図７】従来の封筒の定着状態説明図である。
【図８】電子写真記録工程説明図である。
【符号の説明】
【００３６】
１  封筒本体部
１−０  宛名書き部
１−１  第１折返し側部
１−２  第２折返し側部
１−３  底折返し部
１−４  蓋折返し部
２  糊代用紙
３  プリンタ用封筒
４  底感光ドラム
５  転写ローラ
６  ヒートローラ
７  バックアップローラ
８  加圧用スプリング
【図１】
2005153926.tif 000003
【図２】
2005153926.tif 000004
【図３】
2005153926.tif 000005
【図４】
2005153926.tif 000006
【図５】
2005153926.tif 000007
【図６】
2005153926.tif 000008
【図７】
2005153926.tif 000009
【図８】
2005153926.tif 000010